【手続補正書】
【提出日】平成18年9月5日(2006.9.5)
【手続補正１】
【補正対象書類名】特許請求の範囲
【補正対象項目名】全文
【補正方法】変更
【補正の内容】
【特許請求の範囲】
【請求項１】
デジタル化された医療画像データに基づいて画像形成材料上に画像を形成する画像形成装置であって、前記画像形成装置が、第１の画像形成材料を供給する第１の画像形成材料供給部、前記第１の画像形成材料とは異なる第２の画像形成材料を供給する第２の画像形成材料供給部、同一条件で画像を形成した場合に、互いに色調若しくは最高濃度が異なる前記第１及び第２の画像形成材料から画像を出力する画像形成材料を選択する選択部、前記デジタル化された医療画像データを前記選択された画像形成材料に適した出力用画像データに変換する変換部、前記出力用画像データを前記選択された画像形成材料上に出力する出力部、及び、出力後の画像形成材料に最終的な画像を形成させる為の後処理部を有することを特徴とする画像形成装置。
【請求項２】
デジタル化された医療画像データに基づいて画像形成材料上に画像を形成する画像形成装置であって、前記画像形成装置が、第１の画像形成材料を供給する第１の画像形成材料供給部、前記第１の画像形成材料とは異なる第２の画像形成材料を供給する第２の画像形成材料供給部、互いに感度、透過率及び階調度の少なくとも一つが異なる前記第１及び第２の画像形成材料から画像を出力する画像形成材料を選択する選択部、前記デジタル化された医療画像データを前記選択された画像形成材料に適した出力用画像データに変換する変換部、前記出力用画像データを前記選択された画像形成材料上に出力する出力部、及び、出力後の画像形成材料に最終的な画像を形成させる為の後処理部を有することを特徴とする画像形成装置。
【請求項３】
前記複数の画像形成材料供給部がそれぞれトレイであることを特徴とする請求項１又は２に記載の画像形成装置。
【請求項４】
前記第１及び第２の画像形成材料のうち、一方の画像形成材料の支持体は反射支持体であり、他方の画像形成材料の支持体は透過支持体であることを特徴とする請求項１又は２に記載の画像形成装置。
【請求項５】
前記出力部がレーザー走査露光による光書き込み装置であることを特徴とする請求項１又は２に記載の画像形成装置。
【請求項６】
前記光書き込み装置の走査露光方式は、露光面とレーザー光のなす角が実質的に垂直になることがないレーザー走査露光方式、露光波長が単一ではない縦マルチレーザー走査露光方式、若しくは、２本以上のレーザー走査露光を用いるレーザー走査露光方式の何れかであることを特徴とする請求項５に記載の画像形成装置。
【請求項７】
前記光書き込み装置に用いられるレーザー光源の発振波長が６００〜１２００ｎｍの範囲にあることを特徴とする請求項５に記載の画像形成装置。
【請求項８】
前記レーザー光源の発振波長が、７５０〜８５０ｎｍの範囲にあることを特徴とする請求項７に記載の画像形成装置。
【請求項９】
前記後処理部が加熱処理装置であることを特徴とする請求項１又は２に記載の画像形成装置。
【請求項１０】
前記画像形成材料が加熱処理される時間をｔ、画像形成材料が接する加熱処理装置の表面温度をＴとした際に、１２００≦ｔ×Ｔ≦２６００［ｓｅｃ・℃］の範囲であることを特徴とする請求項９に記載の画像形成装置。
【請求項１１】
前記画像形成材料が加熱処理される時間をｔ、画像形成材料が接する加熱処理装置の表面温度をＴとした際に、１４８０≦ｔ×Ｔ≦１８６０［ｓｅｃ・℃］の範囲であることを特徴とする請求項１０に記載の画像形成装置。
【請求項１２】
前記変換部が、解像度変換機能、階調数変換機能、色変換機能及び選択された画像形成材料に適したＬＵＴ特性を持たせるためのＬＵＴ変換機能の内少なくとも一つを有することを特徴とする請求項１又は２に記載の画像形成装置。
【請求項１３】
前記変換部が、解像度変換機能、階調数変換機能、及び、色変換機能の何れか一つを有することを特徴とする請求項１２に記載の画像形成装置。
【請求項１４】
前記変換部が、前記選択された画像形成材料に適したＬＵＴ特性を持たせるためのＬＵＴ変換機能を有することを特徴とする請求項１２に記載の画像形成装置。
【請求項１５】
デジタル化された医療画像データに基づいて画像形成材料上に画像を形成する画像形成方法において、前記画像形成方法が、同一条件で画像を形成した場合に、互いに色調若しくは最高濃度が異なる複数の異なる画像形成材料から画像を出力する画像形成材料を選択する工程、前記医療画像データを前記選択された画像形成材料に適した出力用画像データに変換する工程、前記出力用画像データを前記選択された画像形成材料上に出力する工程、及び、出力後の画像形成材料に最終的な画像を形成させる為に後処理を加える工程を有することを特徴とする画像形成方法。
【請求項１６】
デジタル化された医療画像データに基づいて画像形成材料上に画像を形成する画像形成方法において、前記画像形成方法が、互いに感度、透過率及び階調度の少なくとも一つが異なる複数の異なる画像形成材料から画像を出力する画像形成材料を選択する工程、前記医療画像データを前記選択された画像形成材料に適した出力用画像データに変換する工程、前記出力用画像データを前記選択された画像形成材料上に出力する工程、及び、出力後の画像形成材料に最終的な画像を形成させる為に後処理を加える工程を有することを特徴とする画像形成方法。
【請求項１７】
前記複数の異なる画像形成材料は、少なくとも反射支持体を有する画像形成材料及び透過支持体を有する画像形成材料を含むことを特徴とする請求項１５又は１６に記載の画像形成方法。
【請求項１８】
前記出力する工程が、レーザー走査露光によって行われることを特徴とする請求項１５又は１６に記載の画像形成方法。
【請求項１９】
前記後処理を加える工程が、加熱処理を加える工程であることを特徴とする請求項１５又は１６に記載の画像形成方法。
【請求項２０】
前記加熱処理を加える工程において、前記画像形成材料が加熱処理される時間をｔ、加熱処理を加える加熱処理装置の画像形成材料と接する部分の表面温度をＴとした場合、１２００≦ｔ×Ｔ≦２６００［ｓｅｃ・℃］の範囲であることを特徴とする請求項１９に記載の画像形成方法。
【請求項２１】
前記加熱処理を加える工程において、前記画像形成材料が加熱処理される時間をｔ、加熱処理を加える加熱処理手段の画像形成材料と接する部分の表面温度をＴとした場合、１４８０≦ｔ×Ｔ≦１８６０［ｓｅｃ・℃］の範囲であることを特徴とする請求項２０に記載の画像形成方法。
【請求項２２】
前記選択する工程の選択結果に従って、前記変換する工程が一義的に決定されることを特徴とする請求項１５又は１６に記載の画像形成方法。
【請求項２３】
前記変換する工程が、解像度を変換する工程、階調数を変換する工程、色を変換する工程、及び、前記選択された画像形成材料に適したＬＵＴ特性を持たせるためにＬＵＴを変換する工程の内少なくとも一つを含むことを特徴とする請求項１５又は１６に記載の画像形成方法。
【請求項２４】
前記変換する工程が、解像度を変換する工程、階調数を変換する工程及び色を変換する工程の内、少なくとも一つを含むことを特徴とする請求項２３に記載の画像形成方法。
【請求項２５】
前記変換する工程が、ＬＵＴを変換する工程を含むことを特徴とする請求項２３に記載の画像形成方法。
【請求項２６】
更に、前記変換する工程により変換された出力用画像データを表示部に表示する工程を有することを特徴とする請求項１５又は１６に記載の画像形成方法。
【請求項２７】
更に、前記表示する工程によって表示された出力用画像データを画像形成材料上に再現させるために補正する工程を有することを特徴とする請求項２６に記載の画像形成方法。
【請求項２８】
更に、前記最終的な画像に対し、所望の画像が得られているか検査する工程、検査結果に基づき前記出力用画像データに対して補正を加える工程、補正された出力用画像データを前記画像形成材料に対して出力する工程、及び前記出力された画像形成材料に対して後処理を加える工程を有することを特徴とする請求項１５又は１６に記載の画像形成方法。
【請求項２９】
前記複数の異なる画像形成材料が、それぞれ、支持体上に感光性ハロゲン化銀、非感光性の有機銀、還元剤を有する画像形成層及び保護層を有することを特徴とする請求項１５又は１６に記載の画像形成方法。
【請求項３０】
前記複数の異なる画像形成材料が、それぞれ、支持体上に中間層、前記画像形成層及び前記保護層をこの順番に有することを特徴とする請求項２９に記載の画像形成方法。
【請求項３１】
前記複数の異なる画像形成材料が、それぞれ、支持体上に、前記画像形成層、バリア層及び前記保護層をこの順番に有することを特徴とする請求項２９に記載の画像形成方法。
【請求項３２】
医療画像データ送信部を有する医療画像データ入力装置；画像データ貯蓄部及び画像データ転送部を有する医療画像データ管理装置；画像形成材料選択部、画像データ変換部及び出力用画像データ転送部を有する画像形成材料最適化変換装置；及び、第１の画像形成材料を供給する第１の画像形成材料供給部、前記第１の画像形成材料とは異なる第２の画像形成材料を供給する第２の画像形成材料供給部、出力部及び後処理部を有する出力装置、とがネットワークを介して接続されてなる画像形成システムにおいて、前記医療画像データ入力装置は、前記医療画像データ送信部で、デジタル化された医療画像データを前記医療画像データ管理装置に送信し、前記医療画像データ管理装置は、前記医療画像データを前記画像データ貯蓄部に保存し、前記画像データ貯蓄部から出力される医療画像データを前記画像データ転送部で、前記画像形成材料最適化変換装置に転送し、前記画像形成材料最適化変換装置は、前記画像形成材料選択部で前記第１及び第２の画像形成材料から画像を出力する画像形成材料を選択し、前記画像データ変換部で前記転送された医療画像データを前記選択された画像形成材料に適した出力用画像データに変換し、前記出力用画像データ転送部で前記画像形成材料の選択結果及び前記出力用画像データを出力装置に転送し、前記出力装置は、前記画像形成材料の選択結果に基づき前記画像形成材料供給部が前記選択された画像形成材料を供給し、前記出力部で前記出力用画像データを出力し、前記後処理部で出力後の画像形成材料に後処理を加えることで最終的な画像を形成する、ことを特徴とする画像形成システム。
【請求項３３】
前記画像データ変換部が、解像度変換機能、階調数変換機能、色変換機能及び選択された画像形成材料に適したＬＵＴ特性を持たせるためのＬＵＴ変換機能の内少なくとも一つを有することを特徴とする請求項３２に記載の画像形成システム。
【請求項３４】
前記医療画像データ入力装置が、医用画像診断装置であることを特徴とする請求項３２に記載の画像形成システム。
【請求項３５】
前記医療画像データ入力装置を複数有することを特徴とする請求項３２に記載の画像形成システム。
【請求項３６】
前記医療画像データ入力装置が、ＣＲ装置、ＣＴ装置、ＭＲＩ装置、ＦＰＤ装置、超音波装置、ＰＥＴ装置、眼底カメラ、ＲＩ診断装置及び乳房Ｘ線撮影装置のうちの少なくとも１種であることを特徴とする請求項３２に記載の画像形成システム。
【手続補正２】
【補正対象書類名】明細書
【補正対象項目名】０００８
【補正方法】変更
【補正の内容】
【０００８】
本発明の上記目的は、以下の構成により達成することができる。
（１）
デジタル化された医療画像データに基づいて画像形成材料上に画像を形成する画像形成装置であって、前記画像形成装置が、第１の画像形成材料を供給する第１の画像形成材料供給部、前記第１の画像形成材料とは異なる第２の画像形成材料を供給する第２の画像形成材料供給部、同一条件で画像を形成した場合に、互いに色調若しくは最高濃度が異なる前記第１及び第２の画像形成材料から画像を出力する画像形成材料を選択する選択部、前記デジタル化された医療画像データを前記選択された画像形成材料に適した出力用画像データに変換する変換部、前記出力用画像データを前記選択された画像形成材料上に出力する出力部、及び、出力後の画像形成材料に最終的な画像を形成させる為の後処理部を有することを特徴とする画像形成装置。
（２）
デジタル化された医療画像データに基づいて画像形成材料上に画像を形成する画像形成装置であって、前記画像形成装置が、第１の画像形成材料を供給する第１の画像形成材料供給部、前記第１の画像形成材料とは異なる第２の画像形成材料を供給する第２の画像形成材料供給部、互いに感度、透過率及び階調度の少なくとも一つが異なる前記第１及び第２の画像形成材料から画像を出力する画像形成材料を選択する選択部、前記デジタル化された医療画像データを前記選択された画像形成材料に適した出力用画像データに変換する変換部、前記出力用画像データを前記選択された画像形成材料上に出力する出力部、及び、出力後の画像形成材料に最終的な画像を形成させる為の後処理部を有することを特徴とする画像形成装置。
（３）
前記複数の画像形成材料供給部がそれぞれトレイであることを特徴とする前記１又は２に記載の画像形成装置。
（４）
前記第１及び第２の画像形成材料のうち、一方の画像形成材料の支持体は反射支持体であり、他方の画像形成材料の支持体は透過支持体であることを特徴とする前記１又は２に記載の画像形成装置。
（５）
前記出力部がレーザー走査露光による光書き込み装置であることを特徴とする前記１又は２に記載の画像形成装置。
（６）
前記光書き込み装置の走査露光方式は、露光面とレーザー光のなす角が実質的に垂直になることがないレーザー走査露光方式、露光波長が単一ではない縦マルチレーザー走査露光方式、若しくは、２本以上のレーザー走査露光を用いるレーザー走査露光方式の何れかであることを特徴とする前記５に記載の画像形成装置。
（７）
前記光書き込み装置に用いられるレーザー光源の発振波長が６００〜１２００ｎｍの範囲にあることを特徴とする前記５に記載の画像形成装置。
（８）
前記レーザー光源の発振波長が、７５０〜８５０ｎｍの範囲にあることを特徴とする前記７に記載の画像形成装置。
（９）
前記後処理部が加熱処理装置であることを特徴とする前記１又は２に記載の画像形成装置。
（１０）
前記画像形成材料が加熱処理される時間をｔ、画像形成材料が接する加熱処理装置の表面温度をＴとした際に、１２００≦ｔ×Ｔ≦２６００［ｓｅｃ・℃］の範囲であることを特徴とする前記９に記載の画像形成装置。
（１１）
前記画像形成材料が加熱処理される時間をｔ、画像形成材料が接する加熱処理装置の表面温度をＴとした際に、１４８０≦ｔ×Ｔ≦１８６０［ｓｅｃ・℃］の範囲であることを特徴とする前記１０に記載の画像形成装置。
（１２）
前記変換部が、解像度変換機能、階調数変換機能、色変換機能及び選択された画像形成材料に適したＬＵＴ特性を持たせるためのＬＵＴ変換機能の内少なくとも一つを有することを特徴とする前記１又は２に記載の画像形成装置。
（１３）
前記変換部が、解像度変換機能、階調数変換機能、及び、色変換機能の何れか一つを有することを特徴とする前記１２に記載の画像形成装置。
（１４）
前記変換部が、前記選択された画像形成材料に適したＬＵＴ特性を持たせるためのＬＵＴ変換機能を有することを特徴とする前記１２に記載の画像形成装置。
（１５）
デジタル化された医療画像データに基づいて画像形成材料上に画像を形成する画像形成方法において、前記画像形成方法が、同一条件で画像を形成した場合に、互いに色調若しくは最高濃度が異なる複数の異なる画像形成材料から画像を出力する画像形成材料を選択する工程、前記医療画像データを前記選択された画像形成材料に適した出力用画像データに変換する工程、前記出力用画像データを前記選択された画像形成材料上に出力する工程、及び、出力後の画像形成材料に最終的な画像を形成させる為に後処理を加える工程を有することを特徴とする画像形成方法。
（１６）
デジタル化された医療画像データに基づいて画像形成材料上に画像を形成する画像形成方法において、前記画像形成方法が、互いに感度、透過率及び階調度の少なくとも一つが異なる複数の異なる画像形成材料から画像を出力する画像形成材料を選択する工程、前記医療画像データを前記選択された画像形成材料に適した出力用画像データに変換する工程、前記出力用画像データを前記選択された画像形成材料上に出力する工程、及び、出力後の画像形成材料に最終的な画像を形成させる為に後処理を加える工程を有することを特徴とする画像形成方法。
（１７）
前記複数の異なる画像形成材料は、少なくとも反射支持体を有する画像形成材料及び透過支持体を有する画像形成材料を含むことを特徴とする前記１５又は１６に記載の画像形成方法。
（１８）
前記出力する工程が、レーザー走査露光によって行われることを特徴とする前記１５又は１６に記載の画像形成方法。
（１９）
前記後処理を加える工程が、加熱処理を加える工程であることを特徴とする前記１５又は１６に記載の画像形成方法。
（２０）
前記加熱処理を加える工程において、前記画像形成材料が加熱処理される時間をｔ、加熱処理を加える加熱処理装置の画像形成材料と接する部分の表面温度をＴとした場合、１２００≦ｔ×Ｔ≦２６００［ｓｅｃ・℃］の範囲であることを特徴とする前記１９に記載の画像形成方法。
（２１）
前記加熱処理を加える工程において、前記画像形成材料が加熱処理される時間をｔ、加熱処理を加える加熱処理手段の画像形成材料と接する部分の表面温度をＴとした場合、１４８０≦ｔ×Ｔ≦１８６０［ｓｅｃ・℃］の範囲であることを特徴とする前記２０に記載の画像形成方法。
（２２）
前記選択する工程の選択結果に従って、前記変換する工程が一義的に決定されることを特徴とする前記１５又は１６に記載の画像形成方法。
（２３）
前記変換する工程が、解像度を変換する工程、階調数を変換する工程、色を変換する工程、及び、前記選択された画像形成材料に適したＬＵＴ特性を持たせるためにＬＵＴを変換する工程の内少なくとも一つを含むことを特徴とする前記１５又は１６に記載の画像形成方法。
（２４）
前記変換する工程が、解像度を変換する工程、階調数を変換する工程及び色を変換する工程の内、少なくとも一つを含むことを特徴とする前記２３に記載の画像形成方法。
（２５）
前記変換する工程が、ＬＵＴを変換する工程を含むことを特徴とする前記２３に記載の画像形成方法。
（２６）
更に、前記変換する工程により変換された出力用画像データを表示部に表示する工程を有することを特徴とする前記１５又は１６に記載の画像形成方法。
（２７）
更に、前記表示する工程によって表示された出力用画像データを画像形成材料上に再現させるために補正する工程を有することを特徴とする前記２６に記載の画像形成方法。
（２８）
更に、前記最終的な画像に対し、所望の画像が得られているか検査する工程、検査結果に基づき前記出力用画像データに対して補正を加える工程、補正された出力用画像データを前記画像形成材料に対して出力する工程、及び前記出力された画像形成材料に対して後処理を加える工程を有することを特徴とする前記１５又は１６に記載の画像形成方法。
（２９）
前記複数の異なる画像形成材料が、それぞれ、支持体上に感光性ハロゲン化銀、非感光性の有機銀、還元剤を有する画像形成層及び保護層を有することを特徴とする前記１５又は１６に記載の画像形成方法。
（３０）
前記複数の異なる画像形成材料が、それぞれ、支持体上に中間層、前記画像形成層及び前記保護層をこの順番に有することを特徴とする前記２９に記載の画像形成方法。
（３１）
前記複数の異なる画像形成材料が、それぞれ、支持体上に、前記画像形成層、バリア層及び前記保護層をこの順番に有することを特徴とする前記２９に記載の画像形成方法。
（３２）
医療画像データ送信部を有する医療画像データ入力装置；画像データ貯蓄部及び画像データ転送部を有する医療画像データ管理装置；画像形成材料選択部、画像データ変換部及び出力用画像データ転送部を有する画像形成材料最適化変換装置；及び、第１の画像形成材料を供給する第１の画像形成材料供給部、前記第１の画像形成材料とは異なる第２の画像形成材料を供給する第２の画像形成材料供給部、出力部及び後処理部を有する出力装置、とがネットワークを介して接続されてなる画像形成システムにおいて、前記医療画像データ入力装置は、前記医療画像データ送信部で、デジタル化された医療画像データを前記医療画像データ管理装置に送信し、前記医療画像データ管理装置は、前記医療画像データを前記画像データ貯蓄部に保存し、前記画像データ貯蓄部から出力される医療画像データを前記画像データ転送部で、前記画像形成材料最適化変換装置に転送し、前記画像形成材料最適化変換装置は、前記画像形成材料選択部で前記第１及び第２の画像形成材料から画像を出力する画像形成材料を選択し、前記画像データ変換部で前記転送された医療画像データを前記選択された画像形成材料に適した出力用画像データに変換し、前記出力用画像データ転送部で前記画像形成材料の選択結果及び前記出力用画像データを出力装置に転送し、前記出力装置は、前記画像形成材料の選択結果に基づき前記画像形成材料供給部が前記選択された画像形成材料を供給し、前記出力部で前記出力用画像データを出力し、前記後処理部で出力後の画像形成材料に後処理を加えることで最終的な画像を形成する、ことを特徴とする画像形成システム。
（３３）
前記画像データ変換部が、解像度変換機能、階調数変換機能、色変換機能及び選択された画像形成材料に適したＬＵＴ特性を持たせるためのＬＵＴ変換機能の内少なくとも一つを有することを特徴とする前記３２に記載の画像形成システム。
（３４）
前記医療画像データ入力装置が、医用画像診断装置であることを特徴とする前記３２に記載の画像形成システム。
（３５）
前記医療画像データ入力装置を複数有することを特徴とする前記３２に記載の画像形成システム。
（３６）
前記医療画像データ入力装置が、ＣＲ装置、ＣＴ装置、ＭＲＩ装置、ＦＰＤ装置、超音波装置、ＰＥＴ装置、眼底カメラ、ＲＩ診断装置及び乳房Ｘ線撮影装置のうちの少なくとも１種であることを特徴とする前記３２に記載の画像形成システム。